(57)【要約】【課題】利便性を維持しつつ、多様な食器等の載置物の配置を容易にすること。【解決手段】外容器１０と、この外容器１０に収容され、食器が載置される載置板２１を有する水切りトレイ２０と、この水切りトレイ２０に連結され、当該水切りトレイ２０の載置板２１に載置される食器を支持する複数の支持部材３０と、支持部材３０が水切りトレイ２０の載置板２１から立ち上がる起立姿勢と、水切りトレイ２０の内部に横たわる倒伏姿勢との間で変位可能に、水切りトレイ２０に対し支持部材３０を連結する連結部材４０とを備え、水切りトレイ２０の載置板２１には、倒伏姿勢にある支持部材３０を水切りトレイ２０内に収める収容穴２３と、収容穴２３の途中部に形成され、倒伏姿勢にある支持部材３０を指で把持することを許容する持ち代穴２４とが形成されている。【選択図】図１
0003157898.tif 000002
【実用新案登録請求の範囲】
【請求項１】
外容器と、
この外容器に収容され、載置物が載置される載置板を有する水切りトレイと、
この水切りトレイの載置板に載置される載置物を支持する複数の支持部材と、
この支持部材が、前記水切りトレイの内部に横たわる倒伏姿勢と前記水切りトレイの載置板から立ち上がる起立姿勢との間で変位可能に、前記支持部材を前記水切りトレイに対して連結する連結部材と
を備え、前記水切りトレイの載置板には、倒伏姿勢にある支持部材を水切りトレイ内に収める収容穴と、収容穴の途中部に形成され、倒伏姿勢にある支持部材を指で把持することを許容する持ち代穴とが形成されていることを特徴とする水切りトレイ容器。
【請求項２】
請求項１記載の水切りトレイ容器において、
前記支持部材は、縦横に整列されており、
前記連結部材は、一列ごとに複数の支持部材を前記水切りトレイに連結している
ことを特徴とする水切りトレイ容器。
【請求項３】
請求項１または２記載の水切りトレイ容器において、
前記水切りトレイは、所定の操作でのみ起立姿勢にある支持部材が倒伏姿勢に戻るのを許容する倒れ止め手段を有している
ことを特徴とする水切りトレイ容器。
【請求項４】
請求項３記載の水切りトレイ容器において、
前記倒れ止め手段は、前記収容穴の端部に形成され、前記収容穴と交差する方向に延びる係止穴と、起立姿勢にある前記支持部材が前記係止穴に入ることを許容した状態で前記支持部材と前記水切りトレイとを連結する前記連結部材とで構成されている
ことを特徴とする水切りトレイ容器。
【考案の詳細な説明】
【技術分野】
【０００１】
本考案は水切りトレイ容器に関し、食器や調理器具等を洗浄した後、水切りする際に用いられる水切りトレイ容器に関する。
【背景技術】
【０００２】
例えば、家庭の流し台で食器等を洗う際、洗浄後の食器等を乾かすために、水切りトレイが使用される。一般的な水切りトレイは、例えば、特許文献１に開示されているように、食器等を収容するラックと、このラックを載置可能なトレイとを有し、ラックに収容された食器等から滴る水をトレイで受けて、流し台の適所にドレンできるようになっている。ラックには、食器等を支持する支持部材が固定されていた。
【先行技術文献】
【特許文献】
【０００３】
【特許文献１】特開平６−７８８７５
【考案の概要】
【考案が解決しようとする課題】
【０００４】
トレイに収容される食器や調理器具は、家庭によって様々であるため、単一の仕様で個々の家庭のニーズに応えることは、困難である。そのため、支持部材が固定されている場合には、収容される食器等が限られてしまい、利便性が低くなる。そこで、トレイの一部を分離して、種々の食器を配置することができるよう、食器を支持する支持部材を着脱式にすることも考えられるが、その場合には、分離された支持部材の管理が煩雑となり、利便性が悪くなる。
【０００５】
本考案は、上記不具合に鑑みてなされたものであり、利便性を維持しつつ、多様な食器等の載置物の配置を容易にすることのできる水切りトレイ容器を提供することを課題としている。
【課題を解決するための手段】
【０００６】
上記課題を解決するために本考案は、外容器と、この外容器に収容され、載置物が載置される載置板を有する水切りトレイと、この水切りトレイの載置板に載置される載置物を支持する複数の支持部材と、この支持部材が、前記水切りトレイの内部に横たわる倒伏姿勢と前記水切りトレイの載置板から立ち上がる起立姿勢との間で変位可能に、前記支持部材を前記水切りトレイに対して連結する連結部材とを備え、前記水切りトレイの載置板には、倒伏姿勢にある支持部材を水切りトレイ内に収める収容穴と、収容穴の途中部に形成され、倒伏姿勢にある支持部材を指で把持することを許容する持ち代穴とが形成されていることを特徴とする水切りトレイ容器である。この態様では、任意の支持部材を起立させ、残余の支持部材を倒伏姿勢に横たわらせることにより、様々な形や大きさの載置物（例えば、食器）を自由なレイアウトで配置することができる。しかも、載置物を受ける支持部材が、水切りトレイに連結されているので、支持部材のレイアウトを変更する際にも、部品がばらばらにならない。そのため、利用者の利便性が向上する。さらに、全ての支持部材を倒伏姿勢にすることにより、水切りトレイの載置板を全面的に開放することができるので、清掃も容易になる。加えて、持ち代穴を設けているので、支持部材を倒伏姿勢から起立姿勢にする操作が容易になる。
【０００７】
好ましい態様において、前記支持部材は、縦横に整列されており、前記連結部材は、一列ごとに複数の支持部材を前記水切りトレイに連結している。この態様では、列毎に支持部材を一斉に駆動することができるので、操作性がより向上する。
【０００８】
好ましい態様において、前記水切りトレイは、所定の操作でのみ起立姿勢にある支持部材が倒伏姿勢に戻るのを許容する倒れ止め手段を有している。この態様では、支持部材が倒伏姿勢に戻る方向に力を受けても、操作者が倒れ止め手段による規制を解除しない限り支持部材が起立姿勢を維持し続けるので、水切りトレイに載置した載置物の荷重等によって、不随意に支持部材が倒れるのを防ぎ、載置した載置物が崩れる等の不具合を防止することができる。
【０００９】
好ましい態様において、前記倒れ止め手段は、前記収容穴の端部に形成され、前記収容穴と交差する方向に延びる係止穴と、起立姿勢にある前記支持部材が前記係止穴に入ることを許容した状態で前記支持部材と前記水切りトレイとを連結する前記連結部材とで構成されている。この態様では、簡素な構成で、支持部材の不随意な倒れを防止することができる。しかも、簡単な操作で、必要に応じて、起立姿勢にある支持部材を倒伏姿勢に変えることも可能になる。
【考案の効果】
【００１０】
以上説明したように、本考案では、極めて容易な操作で任意の支持部材を起立させ、残余の支持部材を倒伏姿勢に横たわらせることにより、様々な形や大きさの載置物を自由なレイアウトで配置することができるので、多様な食器等の載置物の配置を容易にすることができるという顕著な効果を奏する。
【図面の簡単な説明】
【００１１】
【図１】本考案の実施の一形態に係る水切りトレイ容器の斜視図である。
【図２】図１の水切りトレイ容器の分解斜視図である。
【図３】図１の水切りトレイ容器に係る支持部材の連結構造を示す斜視図である。
【図４】図１の水切りトレイ容器に係る連結部材の要部拡大図であり、（Ａ）は、倒伏姿勢、（Ｂ）は起立姿勢をそれぞれ示す。
【図５】図１の水切りトレイ容器の要部拡大図であり、（Ａ）は、倒伏姿勢、（Ｂ）は起立姿勢、（Ｃ）は、ロック姿勢をそれぞれ示す。
【図６】本考案の別の実施の形態に係る水切りトレイ容器の平面略図である。
【考案を実施するための形態】
【００１２】
以下、添付図面を参照しながら本考案の好ましい実施の形態について説明する。
【００１３】
図１及び図２を参照して、本実施形態に係る水切りトレイ容器１は、平面視矩形の外容器１０と、この外容器１０に収容される水切りトレイ２０と、水切りトレイ２０に設けられた複数の支持部材３０と、支持部材３０を水切りトレイ２０に連結する連結部材４０とを備えており、コップや小皿、スプーン等の食器、或いは、しゃくし等の調理器具（以下、「食器等」という）を洗浄後に乾燥するまで、或いは水分をふき取るまで、載置するためのものである。
【００１４】
外容器１０は、例えば樹脂製のトレイであり、矩形の底部１１の四辺に側壁１２を一体に備えている。長手方向一端側の側壁１２は、取っ手を兼ねる膨出部１５が滑らかに連続している。膨出部１５の底部には、ドレン用の孔１６が形成されている。底部１１は、孔１６に水が流れるように、長手方向において、孔１６の形成されている一端側が他端側よりも低く傾斜している。また、水が幅方向中央に集まるように、孔１６の全長にわたって延びる溝１７が底部１１に形成されている。
【００１５】
水切りトレイ２０は、外容器１０の側壁１２内で底部１１の全面を略覆う矩形の載置板２１と、この載置板２１の四辺から垂下する側壁２２とを一体に有する樹脂成型品である。載置板２１には、縦横に整列する複数の収容穴２３が形成されている。収容穴２３は、それぞれ載置板２１の長手方向に沿い、支持部材３０の全長に対応して長く延びており、全体として略長円形に形成されている。各収容穴２３は、例えば、縦横５列に整列している。各収容穴２３の中央部には、円形に膨出した持ち代穴２４が形成されている。持ち代穴２４は、後述するように、収容穴２３内に収容されている支持部材３０を指で摘む際、指を挿入する空間を提供するものである。さらに、収容穴２３の長手方向他端側には、係止穴２５が連設されている。係止穴２５は、詳しくは後述するように、支持部材３０が起立した際、その基端部分を係合させて、支持部材３０の倒れ止めを図るためのものである。収容穴２３、持ち代穴２４、係止穴２５は、連続して載置板２１を貫通しており、その周縁は、下方に垂下するリブで補強されている。
【００１６】
図３を参照して、支持部材３０は、先端が膨出した円柱形の樹脂製棒材である。各支持部材３０は、水切りトレイ２０の幅方向に並ぶ収容穴２３毎に、連結部材４０に突設され、一体化されている。
【００１７】
各連結部材４０は、棒状の樹脂であり、その両端部が、水切りトレイ２０の側壁２２に形成されたスリーブ２６に支持されている。このスリーブ２６は、対応する収容穴２３に延設された係止穴２５の直下で連結部材４０が支持部材３０を支持する位置に設けられている。
【００１８】
図４を参照して、スリーブ２６は、連結部材４０の端部を軸方向にも周方向にも移動自在且つ離脱不能に支持している。連結部材４０の両端部には、スリーブ２６内に収容される突起４２が形成されている。他方、各スリーブ２６内には、突起４２が回動することのできる範囲を規制する一対の当接面２７、２８がそれぞれ形成されており、これら当接面２７、２８によって、連結部材４０の回動量が規定されている。この結果、連結部材４０と一体化された各支持部材３０は、水切りトレイ２０の載置板２１から立ち上がる起立姿勢と、水切りトレイ２０の収容穴２３内で横たわる倒伏姿勢（図１参照）との間で変位することができるようになっている。さらに本実施形態では、支持部材３０が起立姿勢に至る直前のストロークで、突起４２と衝合する突起２９を備えており、この突起２９と、支持部材３０の起立姿勢を規定する側の当接面２８との間で突起４２が係止するようになっている。この結果、支持部材３０が起立姿勢に到達するまでに突起４２が突起２９と衝合し、突起４２は、突起２９を乗り越えて、起立姿勢を規定する側の当接面２８に当接し、この当接面２８と突起２９との間でロックされる。従って、本実施形態では、所定の荷重が作用するまでは、突起２９に回動が規制されるので、支持部材３０が倒伏姿勢に戻ることはない。また、支持部材３０を操作する操作者は、突起４２と突起２９が衝合することで、支持部材３０が起立姿勢に近づいていることを認識することができ、この認識によって、過度な荷重で操作しなくなるという利点もある。
【００１９】
図５を参照して、さらに本実施形態では、より堅固な方法で、支持部材３０が倒れないように工夫されている。すなわち、図５（Ａ）に示す倒伏姿勢から起立姿勢に変位した支持部材３０の基部は、図５（Ｂ）に示すように、係止穴２５に対し、水切りトレイ２０の幅方向に対向している。そして、そのまま支持部材３０を係止穴２５の方へ押し込むことにより、図５（Ｃ）に示すように、係止穴２５内に支持部材３０を係止し、水切りトレイ２０の長手方向（図５の左右方向）支持部材３０が倒れないようにしている。
【００２０】
以上の構成では、任意の支持部材３０を起立させ、残余の支持部材３０を倒伏姿勢に横たわらせることにより、様々な形や大きさの食器等を自由なレイアウトで配置することができる。しかも、食器等を受ける支持部材３０が、水切りトレイ２０に連結されているので、支持部材３０のレイアウトを変更する際にも、部品がばらばらにならない。そのため、利用者の利便性が向上する。さらに、全ての支持部材３０を倒伏姿勢にすることにより、水切りトレイ２０の載置板２１を全面的に開放することができるので、清掃も容易になる。加えて、持ち代穴を設けているので、支持部材３０を倒伏姿勢から起立姿勢にする操作が容易になる。外容器１０は、底の深いラック状のものでもよく、或いは底の浅いトレイ状のものであってもよい。
【００２１】
また本実施形態では、支持部材３０は、縦横に整列されており、連結部材４０は、一列ごとに複数の支持部材３０を水切りトレイ２０に連結している。このため本実施形態では、列毎に支持部材３０を一斉に駆動することができるので、操作性がより向上する。
【００２２】
また本実施形態では、水切りトレイ２０は、所定の操作でのみ起立姿勢にある支持部材３０が倒伏姿勢に戻るのを許容する倒れ止め手段を有している。倒れ止め手段は、図５に示したように、係止穴２５に支持部材３０を係止させる構成で具体化される。
【００２３】
このため本実施形態では、支持部材３０が倒伏姿勢に戻る方向に力を受けても、操作者が倒れ止め手段による規制を解除しない限り、すなわち、支持部材３０を収容穴２３側に戻さない限り、支持部材３０が起立姿勢を維持し続けるので、水切りトレイ２０に載置した載置物の荷重等によって、不随意に支持部材３０が倒れるのを防ぎ、載置した載置物が崩れる等の不具合を防止することができる。
【００２４】
また本実施形態では、倒れ止め手段として、収容穴２３の端部に形成され、収容穴２３と交差する方向に延びる係止穴２５と、起立姿勢にある支持部材３０が係止穴２５に入ることを許容した状態で支持部材３０と水切りトレイ２０とを連結する連結部材４０とを備えている。このため本実施形態では、簡素な構成で、支持部材３０の不随意な倒れを防止することができる。しかも、簡単な操作で、必要に応じて、起立姿勢にある支持部材３０を倒伏姿勢に変えることも可能になる。
【００２５】
上述した実施の形態は、本考案の好ましい具体例を例示したものに過ぎず、本考案は上述した実施形態に限定されない。
【００２６】
例えば、収容穴２３（支持部材３０）のレイアウトとして、載置板２１上に千鳥状にレイアウトしてもよい。その場合、連結部材４０は、一つずつ支持部材３０を水切りトレイ２０に連結するものであってもよい。
【００２７】
収容穴２３、持ち代穴２４、係止穴２５は、載置板２１を貫通しているが、有底の凹部であってもよい。
【００２８】
また、突起２９も、スリーブ２６の内周壁の一部に摺接させる仕様にしてもよい。
【００２９】
図４（Ｂ）に示したように、起立姿勢において、支持部材３０の基端部分が収容穴２３の端壁に当接するようにしておけば、起立姿勢側の当接面２８は、省略してもよい。
【００３０】
その他、本考案の実用新案登録請求の範囲内で種々の変更が可能であることはいうまでもない。
【符号の説明】
【００３１】
１  トレイ容器
１０  外容器
２０  トレイ
２１  載置板
２３  収容穴
２４  持ち代穴
２５  係止穴（倒れ止め手段の一例）
２６  スリーブ
２９  突起
３０  支持部材
４０  連結部材（倒れ止め手段の一例）
４２  突起
【図１】
0003157898.tif 000003
【図２】
0003157898.tif 000004
【図３】
0003157898.tif 000005
【図４】
0003157898.tif 000006
【図５】
0003157898.tif 000007
【図６】
0003157898.tif 000008